(57)【特許請求の範囲】
【請求項１】
大屋根を備えた建物内部に、固定式スタンドとこの固定式スタンドから離間移動する移動式スタンドを設置し、これら固定式スタンド及び移動式スタンドに囲まれた地上空間に、前記移動式スタンドが固定式スタンドから離間しないときに最小面積のアリーナとなり、前記移動式スタンドが固定式スタンドから離間移動することにより面積を拡張したアリーナとなる多目的アリーナを備えた建物の天井構造であって、
前記移動式スタンドの観客席を覆うように該移動式スタンドの最上部に固定された第１内部屋根と、前記固定式スタンドの観客席を覆うように該固定式スタンドの最上部に固定された第２内部屋根と、前記第１内部屋根から昇降自在に吊設されて最小面積とした前記多目的アリーナを上方から覆う第１アリーナ天井と、前記第２内部屋根から昇降自在に吊設されて前記第１アリーナ天井と一体化する高さまで降下し、該第１アリーナ天井とともに最小面積とした前記多目的アリーナを上方から覆う第２アリーナ天井と、前記大屋根から昇降自在に吊設され、前記多目的アリーナを最小面積としたときに前記第１内部屋根の上方位置に収納されるとともに、前記多目的アリーナを最大面積としたときに前記第１及び第２アリーナ天井と一体化する高さまで降下して前記第１及び第２アリーナ天井とともに前記多目的アリーナを上方から覆うスタジアム天井と、前記第１内部屋根から昇降自在に吊設されて前記移動式スタンドの観客席を上方から覆い、且つ所定の高さに配設した前記第１アリーナ天井と連続した天井面を形成する第１スタンド天井と、前記第２内部屋根から昇降自在に吊設されて前記固定式スタンドの観客席を上方から覆い、且つ所定の高さに配設した前記第２アリーナ天井と連続した天井面を形成する第２スタンド天井とを備えたことを特徴とする多目的アリーナを備えた建物の天井構造。
【請求項２】
前記第１アリーナ天井、前記第２アリーナ天井及び前記スタジアム天井を、複数の梁部材及び柱部材を格子状に連結して架構構造に形成した天井本体と、この天井本体の上面全域に貼設した吸音パネルと、前記天井本体の下部に設置した照明設備と吊設設備とで構成したことを特徴とする請求項１記載の多目的アリーナを備えた建物の天井構造。
【請求項３】
前記第１スタンド天井及び第２スタンド天井を、互いに並列に吊設された複数のキャットウォークと、これらキャットウォークの下面に吊設された吸音パネルと、前記キャットウォークの下部に設置した照明設備とで構成したことを特徴とする請求項１又は２記載の多目的アリーナを備えた建物の天井構造。
【請求項４】
前記第１スタンド天井及び前記第２スタンド天井に、前記移動式スタンド又は前記固定式スタンドの観客席に向けて垂下する吸音性を備えた間仕切り壁を吊設したことを特徴とする請求項３記載の多目的アリーナを備えた建物の天井構造。
【発明の詳細な説明】
【０００１】
【発明の属する技術分野】
本発明は、各種イベントに応じて面積が適宜変化する多目的アリーナを備えた建物の天井構造に関する。
【０００２】
【従来の技術】
近年、建物内部に設けた多目的アリーナの面積を適宜変化させ、格闘技用のステージ、劇場や音楽系イベントの会場、さらにはサッカーや野球等のスタジアムとして利用する大型建築物が構築されてきている。
例えば、ボクシングやレスリング等の格闘技ステージとして小面積の多目的アリーナを使用する場合には、多目的アリーナの上方を覆っている天井を低位置に配設して気積を減少させた閉空間を形成するとともに、低位置に配設した天井からステージに向けて多数の照明を照射したいという要求もある。
【０００３】
また、音楽系イベントのステージとして多目的アリーナを使用する場合には、最適な音響空間を形成するために、吸音部材を備えた天井面や間仕切り壁により囲まれた閉空間を形成したいという要求もある。さらに、スタジアムとして大面積の多目的アリーナを使用する場合にも、ある程度天井を低くした閉空間を形成したいという要求がある。
【０００４】
【発明が解決しようとする課題】
しかしながら、現在構築されている多目的アリーナを備えた大型建築物は、天井を一定の高さとした構造としているので、各種イベントに適した閉空間を形成することができず、常に上方空間が開放された状態となっている。
本発明は、上記事情に鑑みてなされたものであり、各種イベントに応じて面積が適宜変化する多目的アリーナの上部空間の気積とスタンド観客席側の上部空間の気積とを適宜調節し、それにより最適な閉空間を形成することが可能な多目的アリーナを備えた建物の天井構造を提供することを目的としている。
【０００５】
【課題を解決するための手段】
本発明の請求項１記載の発明は、大屋根を備えた建物内部に、固定式スタンドとこの固定式スタンドから離間移動する移動式スタンドを設置し、これら固定式スタンド及び移動式スタンドに囲まれた地上空間に、前記移動式スタンドが固定式スタンドから離間しないときに最小面積のアリーナとなり、前記移動式スタンドが固定式スタンドから離間移動することにより面積を拡張したアリーナとなる多目的アリーナを備えた建物の天井構造であって、前記移動式スタンドの観客席を覆うように該移動式スタンドの最上部に固定された第１内部屋根と、前記固定式スタンドの観客席を覆うように該固定式スタンドの最上部に固定された第２内部屋根と、前記第１内部屋根から昇降自在に吊設されて最小面積とした前記多目的アリーナを上方から覆う第１アリーナ天井と、前記第２内部屋根から昇降自在に吊設されて前記第１アリーナ天井と一体化する高さまで降下し、該第１アリーナ天井とともに最小面積とした前記多目的アリーナを上方から覆う第２アリーナ天井と、前記大屋根から昇降自在に吊設され、前記多目的アリーナを最小面積としたときに前記第１内部屋根の上方位置に収納されるとともに、前記多目的アリーナを最大面積としたときに前記第１及び第２アリーナ天井と一体化する高さまで降下して前記第１及び第２アリーナ天井とともに前記多目的アリーナを上方から覆うスタジアム天井と、前記第１内部屋根から昇降自在に吊設されて前記移動式スタンドの観客席を上方から覆い、且つ所定の高さに配設した前記第１アリーナ天井と連続した天井面を形成する第１スタンド天井と、前記第２内部屋根から昇降自在に吊設されて前記固定式スタンドの観客席を上方から覆い、且つ所定の高さに配設した前記第２アリーナ天井と連続した天井面を形成する第２スタンド天井とを備える天井構造とした。
【０００６】
また、請求項２記載の発明は、請求項１記載の発明において、前記第１アリーナ天井、前記第２アリーナ天井及び前記スタジアム天井を、複数の梁部材及び柱部材を格子状に連結して架構構造に形成した天井本体と、この天井本体の上面全域に貼設した吸音パネルと、前記天井本体の下部に設置した照明設備と吊設設備とで構成した。
【０００７】
また、請求項３記載の発明は、請求項１又は２記載の発明において、前記第１スタンド天井及び第２スタンド天井を、互いに並列に吊設された複数のキャットウォークと、これらキャットウォークの下面に吊設された吸音パネルと、前記キャットウォークの下部に設置した照明設備とで構成した。
さらに、請求項４記載の発明は、請求項３記載の発明において、前記第１スタンド天井及び前記第２スタンド天井に、前記移動式スタンド又は前記固定式スタンドの観客席に向けて垂下する吸音性を備えた間仕切り壁を吊設した。
【０００８】
【発明の実施の形態】
以下、本発明の天井構造を備えた建築構造物の一実施形態について、図１から図９を参照して説明する。
建築構造物１は、図１に示すように、内部に地上空間２ａを形成した構造物本体（建物）２と、構造物本体２内部の地上空間に設置されたスタンド構造体３と、スタンド構造体３と隣接して地上空間２ａに設けられた屋内広場４とを備えている。
【０００９】
構造物本体２は、平面視略Ｕ字形状の構造物として構築された第１構造物本体５と、この第１構造物本体５の両縁部５ａ、５ｂと近接するように平面視略三日月形状の構造物として構築された第２構造物本体６とで構成されている。
また、スタンド構造体３は平面視外縁形状が略楕円形をなし、第１スタンド分割体７及び第２スタンド分割体８により略半割り形状の構造体として構成されている。そして、第１スタンド分割体７及び第２スタンド分割体８には、それぞれ中央部に向けて下り傾斜を設けた内部に観客席７ａ、８ａが設けられているとともに、それら観客席７ａ、８ａに囲まれた地上空間には、多目的アリーナ９が設けられている。
【００１０】
ここで、第２分割構造体８は、屋内広場４の面積を縮小しながら第２構造物本体６に向けて移動可能な構造とされているとともに（以下、移動式スタンド８と称する。）、第１分割構造体７は、構築された位置から移動しない（以下、固定式スタンド７と称する。）。
これにより、図１及び図２に示すように、固定式スタンド７及び移動式スタンド８が互いに隣接すると、ボクシングやレスリング等の格闘技ステージとして使用可能な最小面積の多目的アリーナ９ｓが形成される。また、図３に示すように、移動式スタンド８が第２構造物本体６まで移動すると、サッカーやアメリカンフットボール等のスタジアムとして使用可能な最大面積の多目的アリーナ９Ｌ  が形成されるようになっている。
【００１１】
一方、構造物本体２の上部には、図２に示すように、固定屋根１０及び傾斜屋根１１を一方向に向けて略連続的に傾斜配置した片流れ形式の大屋根１２が配設されているとともに、前記傾斜屋根１１の下方位置には内屋根１３が配設されている。なお、移動式スタンド８の観客席８ａを覆うように配設された前記内屋根１３を第１内部屋根１３と称し、、固定式スタンド７の観客席７ａを覆うように配設された前記固定屋根１０を第２内部屋根１０と称する。
【００１２】
前記第２内部屋根１０は、トラス構造により形成された軽量構造体であり、外周縁部が固定式スタンド７の上部に固定されている。また、傾斜屋根１１はトラス構造により形成された軽量構造体であり、一端側１１ａが第２内部屋根１０の傾斜上縁部と重合して配設され、他端部１１ｂが第２構造物本体６から立ち上がる支柱１１ｃを介して支持されている。これにより、傾斜屋根１１は屋内広場４を上部から覆うように配設されている。
【００１３】
さらに、第１内部屋根１３もトラス構造により形成された軽量構造体であり、外周縁部が移動式スタンド８の上部に固定されている。
ここで、図２に示すように、第１内部屋根１３には第１アリーナ天井１４Ａが昇降自在に吊設されており、移動式スタンド８を固定式スタンド７側に移動して最小面積の多目的アリーナ９ｓを形成したときに、前記第１アリーナ天井１４Ａは多目的アリーナ９ｓの半分の領域を上方から覆う。
【００１４】
また、第２内部屋根１０には第２アリーナ天井１４Ｂが昇降自在に吊設されており、この第２アリーナ天井１４Ｂを前記第１アリーナ天井１４Ａと同一の高さまで降下させることにより、前記第１アリーナ天井１４Ａとともに前記最小面積の多目的アリーナ９ｓの上方全域を覆う。この第２アリーナ天井１４Ｂは、図４に示すように、多数の柱部材１４ａ及び梁部材１４ｂを格子状に接続して形成した直方体形状の天井本体１４ｃと、天井本体１４ｃの上面全域に貼設されたグラスウールボード等の吸音パネル１６とで構成されており、固定屋根１０に所定の間隔をあけて設置された複数の揚重機１７から下方に延在するワイヤ１８に吊り下げ保持されている。そして、天井本体１４ｃの内部には照明方向を下方に向けた照明設備１９が設置されているとともに、下面には吊りフック２０が配設されている。なお、前述した第１アリーナ天井１４Ａも、図４に示した第２アリーナ天井１４Ｂと同一構成部材により形成されている。
【００１５】
また、図２に示すように、第２内部屋根１０には第２スタンド天井１５が昇降自在に配設されており、この第２スタンド天井１５は、図４に示すように、第２アリーナ天井１４Ｂに向けて互いに並列配置された複数のキャットウォーク２１により構成されている。ここで、各キャットウォーク２１は、スタンド天井構造体の上面に配設され、第２内部屋根１０に所定の間隔をあけて設置された複数の揚重機２２から下方に延在するワイヤ２３にそれぞれ吊り下げ保持されている。そして、これらキャットウォーク２１の下面全域には、グラスウールボード等の吸音パネル２４が貼設されているとともに、キャットウォーク２１の上部に照明方向を下方に向けた照明設備２５が設置されている。さらに、図４の符号２６で示す位置には、吸音性を有する間仕切り壁２７を吊設することが可能な吊り部材が配設されている。
【００１６】
さらに、図２に示すように、第１内部屋根１３にも第１スタンド天井２８が昇降自在に配設されており、この第１スタンド天井２８は、図４に示した第２スタンド天井３８と同様に第１アリーナ天井１４Ａに向けて互いに並列配置された複数のキャットウォーク２１により構成されている。
一方、図２に示すように、第１内部屋根１３の上方には、傾斜屋根１１に吊設されたスタジアム天井３０が昇降自在に配設されている。すなわち、最大面積の多目的アリーナ９Ｌ  を形成する際には、移動式スタンド８を第２構造物本体６側へ移動することにより第１内部屋根１３と第２内部屋根１０との間に上部空間３１が設けられるが、スタジアム天井３０は、前記上部空間３１を通過して第１及び第２アリーナ天井１４Ａ、１４Ｂと同一高さまで降下する。なお、このスタジアム天井３０は、前述した第１及び第２アリーナ天井１４Ａ、１４Ｂと同一構成されているのでその説明を省略する。
【００１７】
上記構成の天井構造によると、移動式スタンド８を固定式スタンド８側に移動させて最小面積の多目的アリーナ９ｓを形成する際には、図２に示した立面配置のように、第１及び第２アリーナ１４Ａ、１４Ｂを同一高さまで降下させるとともに、第１及び第２スタンド天井２８、１５を、第１及び第２アリーナ１４Ａ、１４Ｂに向けて下り傾斜を付けた天井構造とすることができる。そして、この天井構造の平面配置は、図５に示すように、最小面積の多目的アリーナ９ｓの上方に第１及び第２アリーナ天井１４Ａ、１４Ｂが配設され、移動式スタンド８の観客席８ａ及び固定式スタンド７の観客席８ａを覆うように第１及び第２スタンド天井２８、１５が配設される。なお、スタジアム天井３０は、第１内部屋根１３の上方に収納されている。
【００１８】
このような天井構造とすると、多目的アリーナ９ｓ及び観客席７ａ、８ａの上部空間が覆われ、気積を減少させた閉空間が形成される。これにより、ボクシングやレスリング等の格闘技用ステージとして多目的アリーナ９ｓを使用する場合には、最適な閉空間を形成することができ、しかも、低位置に配設した第１及び第２アリーナ天井１４Ａ、１４Ｂに設置した複数の照明１９をステージに向けて照射することができるので、照明効果を得ることができる。
【００１９】
また、上述した天井構造に加えて、図４に示した吊り部材２６を介して吸音性を有する間仕切り壁２７を吊設すると、第１及び第２アリーナ天井１４Ａ、１４Ｂの上面全域に貼設された吸音パネル１６、第１及び第２スタンド天井２８、１５に貼設された吸音パネル２４、さらに前述の間仕切り壁２７により残響音が低減する。これにより、音楽系イベントのステージとして使用する場合に、最適な音響空間を得ることができる。
【００２０】
また、移動式スタンド８を第２構造物本体６側へ移動して最大面積の多目的アリーナ９Ｌ  を形成する際には、図３に示した立面配置のように、スタジアム天井３０を第１及び第２アリーナ１４Ａ、１４Ｂと同一高さまで降下させた天井構造とする。なお、その際には、離間した固定式スタンド７と移動式スタンド８との間に増設スタンド３３を設置する。そして、この天井構造の平面配置は、図６に示すように、最大面積の多目的アリーナ９Ｌ  の上方に、連続した天井面としてスタジアム天井３０及び第１及び第２アリーナ天井１４Ａ、１４Ｂが配設され、移動式スタンド８の観客席８ａ及び固定式スタンド７の観客席８ａを覆うように第１及び第２スタンド天井２８、１５が配設される。なお、図６において符号３４で示すものは、増設スタンド３３の上部に配設された増設側スタンド天井であり、この増設側スタンド天井３３も、複数のキャットウォーク２１により構成されている。
【００２１】
このような天井構造とすると、サッカーやアメリカンフットボール等のスタジアムとして多目的アリーナ９Ｌ  を使用する場合に、最適な閉空間を形成することができるとともに、スタジアム天井３０、第１及び第２アリーナ天井１４Ａ、１４Ｂに設置した複数の照明１９を多目的アリーナ９Ｌ  に向けて照射することができるので、照明効果を得ることができる。また、第１及び第２スタンド天井２８、１５を構成している各キャットウォーク２１を多目的アリーナ９Ｌ  側を向くように傾斜させ、それらキャットウォーク２１に設置した複数の照明２５もステージに向けて照射すると、さらに照明効果を増大させることができる。
【００２２】
なお、図７から図９に示すのは、本実施形態の他の例を示すものである。
図７は、最小面積の多目的アリーナ９ｓを形成する際に、第１及び第２アリーナ１４Ａ、１４Ｂと、第１及び第２スタンド天井の一部をさらに降下させ、上段側の観客席７ａ、８ａを隠しながらフラットな天井面となる構造としている。これにより、さらに気積を減少させた最適な閉空間を形成することができる。
【００２３】
また、図８は、第１及び第２スタンド天井２８、１５を構成している各キャットウォーク２１の一部を多目的アリーナ９ｓ側を向くように大きく下側に傾斜させ、それらキャットウォーク２１に設置した複数の照明２５をステージに向けて照射した状態を示す図である。
さらに、図９は、第１及び第２スタンド天井２８、１５を構成している全てのキャットウォーク２１を多目的アリーナ９ｓ側を向くように大きく下側に傾斜させ、それらキャットウォーク２１に設置した複数の照明２５をステージに向けて照射することにより照明効果を増大させた状態を示す図である。
【００２４】
また、最大面積の多目的アリーナ９Ｌ  を形成する際には、スタジアム天井３０を第１及び第２アリーナ１４Ａ、１４Ｂと同一高さまで降下させ、図７から図９で示した天井構造と類似した構造とすることにより、同様の作用効果を得ることができる。
そして、本実施形態では、第１及び第２アリーナ天井１４、３０を直方体形状としたが、本発明の要旨はこれに限るものではなく、例えば両者とも曲率を有する形状としても同様の作用効果を得ることができる。また、水平を保持して昇降せずとも、閉空間を形成するように昇降するものであれば、互いに水平面に対して傾斜した天井面を形成してもよい。
【００２５】
【発明の効果】
以上説明したように、請求項１記載の多目的アリーナを備えた建物の天井構造は、多目的アリーナを最小面積とするときには、第１及び第２アリーナ天井を所定の高さ位置に配設し、且つこれら第１及び第２アリーナ天井と連続するように第１及び第２スタンド天井を配設した天井構造とし、多目的アリーナを最大面積とするときには、第１内部屋根の上方に収納されていたスタジアム天井を、第１及び第２アリーナ天井と一体化する高さまで降下させ、且つこれらスタジアム天井と第１及び第２アリーナ天井と連続するように第１及び第２スタンド天井を配設した天井構造とすることができるので、各種イベントに応じて面積が適宜変化する多目的アリーナと、この多目的アリーナを囲む観客席の上部空間の気積を調整することが可能な最適な閉空間を形成することができる。
【００２６】
また、請求項２記載の多目的アリーナを備えた建物の天井構造は、請求項１記載の効果を得ることができるとともに、第１及び第２アリーナ天井を構成している天井本体には吸音パネルが貼設されているので、音楽系イベント会場として閉空間を使用する際には残響音が低減し、最適な音響空間を提供することができる。また、天井本体には照明設備が設置されているの、イベント会場に向けて上方から照明を容易に照射することができ、照明効果を高めことができる。
【００２７】
また、請求項３記載の多目的アリーナを備えた建物の天井構造は、請求項１又は２記載の効果を得ることができるとともに、複数のキャットオウォークにより構成されている第１及び第２スタンド天井は、その下面に吸音パネルが貼設されているので、さらに最適な音響空間を提供することができる。また、各キャットオウォークをイベント会場に向けて傾斜配置し、設置されている照明設備によりイベント会場に照明を照射することができるので、さらに照明効果を高めることができる。
【００２８】
さらに、請求項４記載の多目的アリーナを備えた建物の天井構造は、請求項３記載の効果を得ることができるとともに、移動式スタンド又は固定式スタンドは吸音性を備えた間仕切り壁を貼設することができるので、最適な音響空間としながら劇場やコンサート会場用のステージを容易に形成することができる。
【図面の簡単な説明】
【図１】本発明に係る建物の大屋根を除いた内部構造を示す平面図である。
【図２】本発明に係る最小面積の多目的アリーナを形成した内部構造を示す立面図である。
【図３】本発明に係る最大面積の多目的アリーナを形成した内部構造を示す立面図である。
【図４】本発明に係る第２アリーナ天井及び第２スタンド天井の構成部材を示す図である。
【図５】最小面積の多目的アリーナを形成した際の第１及び第２アリーナ天井、第１及び第２スタンド天井の平面配置を示す図である。
【図６】最大面積の多目的アリーナを形成した際の第１及び第２アリーナ天井、第１及び第２スタンド天井、スタジアム天井の平面配置を示す図である。
【図７】最小面積の多目的アリーナを形成した際の第１及び第２アリーナ天井、第１及び第２スタンド天井の配置の第１変形例を示す立面図である。
【図８】最小面積の多目的アリーナを形成した際の第１及び第２アリーナ天井、第１及び第２スタンド天井の配置の第２変形例を示す立面図である。
【図９】最小面積の多目的アリーナを形成した際の第１及び第２アリーナ天井、第１及び第２スタンド天井の配置の第３変形例を示す立面図である。
【符号の説明】
１    構造物本体（建物）
７    固定式スタンド
７ａ、８ａ  観客席
８    移動式スタンド
９ｓ  最小面積の多目的アリーナ
９Ｌ    最大面積の多目的アリーナ
１０  第２内部屋根
１１  傾斜屋根
１２  大屋根
１３  第１内部屋根
１４Ａ  第１アリーナ天井
１４Ｂ  第２アリーナ天井
１５  第２スタンド天井
１６、２４  吸音パネル
１９、２５  照明設備
２１  キャットウォーク
２７  間仕切り壁
２８  第１スタンド天井
３０  スタジアム天井
【図１】
0003552073.tif 000002
【図２】
0003552073.tif 000003
【図３】
0003552073.tif 000004
【図４】
0003552073.tif 000005
【図５】
0003552073.tif 000006
【図６】
0003552073.tif 000007
【図７】
0003552073.tif 000008
【図８】
0003552073.tif 000009
【図９】
0003552073.tif 000010